(57)【要約】【課題】印刷を停止させることなくドクターブレードを交換できるフレキソ印刷機のドクターブレード支持装置を得る。【解決手段】印版に接触されるアニロックスロール２と、アニロックスロール２に接触されるドクターブレード６，８とを備える。回転可能に支持された支持部材４をアニロックスロール２と平行に配置すると共に、支持部材４に一対のドクターブレード６，８を一方がアニロックスロール２に接触する接触位置に、他方がアニロックスロール２から離れた交換位置に着脱可能に取り付ける。そして、接触位置と交換位置との間で支持部材４を回転させるモータ１６と、支持部材４をアニロックスロール２に接近・離間させる方向に移動する退避機構２８とを設けた。一対のドクターブレード６，８は支持部材４の外周に対称位置に取り付けた。【選択図】  図１
2006044193.tif 000002
【特許請求の範囲】
【請求項１】
印版に接触されるアニロックスロールと、該アニロックスロールに接触されるドクターブレードとを備えたフレキソ印刷機において、
回転可能に支持された支持部材を前記アニロックスロールと平行に配置すると共に、前記支持部材に複数の前記ドクターブレードを１つを前記アニロックスロールに接触する接触位置に、他を前記アニロックスロールから離れた交換位置に着脱可能に取り付け、
かつ、前記ドクターブレードを前記接触位置と前記交換位置とに位置決めするために前記支持部材を回転させる回転機構と、前記支持部材を前記アニロックスロールに接近・離間させる方向に移動する退避機構とを設けたことを特徴とするフレキソ印刷機のドクターブレード支持装置。
【請求項２】
一対の前記ドクターブレードは前記支持部材の外周に対称位置に取り付けられていることを特徴とする請求項１に記載のフレキソ印刷機のドクターブレード支持装置。
【発明の詳細な説明】
【技術分野】
【０００１】
本発明は、フレキソ印刷機に用いられ、余剰インキを掻き取るドクターブレードを支持するフレキソ印刷機のドクターブレード支持装置に関する。
【背景技術】
【０００２】
従来より、フレキソ印刷機では、アニロックスロールの余剰インキをドクターブレートにより掻き取るように構成されている。ドクターブレードは、アニロックスロールに接触されるので、摩耗しやすく、新しいドクターブレードと交換する必要が生じる。この交換作業を容易に行えるようにするために、特許文献１にあるように、アニロックスロールに接近する掻き取り位置から離反する待機位置に向けて変位可能とされた可動台にドクターブレードを設けている。そして、交換時には、可動台を待機位置に移動して、アニロックスロールから離れた位置で、摩耗したドクターブレードを新たなドクターブレードに交換するようにしたものが提案されている。
【特許文献１】特開２００１−２９３８４６
【発明の開示】
【発明が解決しようとする課題】
【０００３】
しかしながら、こうした従来のものでは、可動台を待機位置に移動してから、摩耗したドクターブレードを取り外し、次に、新たなドクターブレードを付け直す必要があり、その間、印刷を停止しなければならず、印刷を長時間停止しなければならないという問題があった。
【０００４】
本発明の課題は、印刷を停止させることなくドクターブレードを交換できるフレキソ印刷機のドクターブレード支持装置を提供することにある。
【課題を解決するための手段】
【０００５】
かかる課題を達成すべく、本発明は課題を解決するため次の手段を取った。即ち、
印版に接触されるアニロックスロールと、該アニロックスロールに接触されるドクターブレードとを備えたフレキソ印刷機において、
回転可能に支持された支持部材を前記アニロックスロールと平行に配置すると共に、前記支持部材に複数の前記ドクターブレードを１つを前記アニロックスロールに接触する接触位置に、他を前記アニロックスロールから離れた交換位置に着脱可能に取り付け、
かつ、前記ドクターブレードを前記接触位置と前記交換位置とに位置決めするために前記支持部材を回転させる回転機構と、前記支持部材を前記アニロックスロールに接近・離間させる方向に移動する退避機構とを設けたことを特徴とするフレキソ印刷機のドクターブレード支持装置がそれである。一対の前記ドクターブレードは前記支持部材の外周に対称位置に取り付けるとよい。
【発明の効果】
【０００６】
本発明のフレキソ印刷機のドクターブレード支持装置は、複数のドクターブレードを取り付けた支持部材をインキ洗浄作業の終了後に回転させた後、新しいドクターブレードをアニロックスロールに接触させて印刷作業を行うことにより、印刷を停止させることなくドクターブレードを交換できるという効果を奏する。
【発明を実施するための最良の形態】
【０００７】
以下本発明を実施するための最良の形態を図面に基づいて詳細に説明する。
図１に示すように、１は版胴で、版胴１の外周には図示しない印版が取り付けられる。版胴１と対向して配置されたアニロックスロール２は、図示しない駆動機構により、印版に接触・離間できるように構成されている。アニロックスロール２の表面には、微細な凹部が緻密に形成されている。
【０００８】
アニロックスロール２に対向して支持部材４が設けられており、支持部材４は、アニロックスロール２の軸方向と平行に配置されると共に、支持部材４の外周には一対のドクターブレード６，８が着脱可能に取り付けられている。一方のドクターブレード６の先端はアニロックスロール２の表面に、アニロックスロール２の軸方向に沿って接触する接触位置に配置されて、アニロックスロール２に付着しているインキを掻き落とすことができるように構成されている。他方のドクターブレード８は支持部材４の１８０度反対側の対称位置で交換位置に配置されている。アニロックスロール２、ドクターブレード６、支持部材４により囲まれたインキ貯留部１０が形成されている。インキ貯留部１０には、インキ供給ノズル１１が設けられている。
【０００９】
支持部材４の両端は、一対の揺動アーム１２，１４に回転可能に支持されている。一方の揺動アーム１２には、支持部材４を回転駆動する回転機構としてのモータ１６が取り付けられている。また、一対の揺動アーム１２，１４は、アニロックスロール２の軸方向と平行な支持軸１８に締結部材２０，２２を介して固定されており、支持軸１８は装置フレーム２４の軸受部にて揺動可能に支持されている。
【００１０】
一対の揺動アーム１２，１４と装置フレーム２４との間には、シリンダ２６（一方のみ図示する）が設けられている。シリンダ２６を駆動することにより、図１に実線で示すように、支持部材４がアニロックスロール２に接近した印刷位置と、図１に二点鎖線で示すように、支持部材４がアニロックスロール２から離間した退避位置とに移動できるように構成されている。尚、本実施形態では、一対の揺動アーム１２，１４、支持軸１８、シリンダ２６により、退避機構２８が構成されている。
【００１１】
次に、前述した本実施形態のフレキソ印刷機のドクターブレード支持装置の作動について説明する。
まず、インキ供給ノズル１１から供給されたインキは、インキ貯留部１０に貯留されて、インキがアニロックスロール２の表面に付着する。余剰インキがドクターブレード６により掻き落とされて、アニロックスロール２の表面のインキが版胴１上の印版に付着して印刷に供される。
【００１２】
印刷が行われるに従って、ドクターブレード６が摩耗して、交換する必要が生じた場合には、一旦印刷を停止してから、インキを回収する。そして、シリンダ２６を駆動して、揺動アーム１２，１４を揺動させ、支持部材４をアニロックスロール２から離間した退避位置に移動させる。次に、モータ１６を駆動して、図１に矢印で示すように、支持部材４を反時計方向に１８０度回転させる。
【００１３】
これにより、一方のドクターブレード６が交換位置に移動され、他方のドクターブレード８が接触位置に移動される。続いて、シリンダ２６を駆動して、揺動アーム１２，１４を揺動させて、他方のドクターブレード８をアニロックスロール２に接触させる印刷位置に移動する。そして、インキ供給ノズル１１からインキを供給して、印刷を再開する。
【００１４】
印刷が行われている間に、交換位置にある摩耗した一方のドクターブレード６を支持部材４から取り外して、新しいドクターブレード６と交換する。印刷が行われている間に交換できるので、ドクターブレード６の交換のために印刷を停止する必要がない。
【００１５】
他方のドクターブレード８が摩耗した際には、同様に、シリンダ２６を駆動して、揺動アーム１２，１４を揺動させ、モータ１６を駆動して支持部材４を１８０度回転させてから、再び、シリンダ２６を駆動して、揺動アーム１２，１４を揺動して、新たなドクターブレード６をアニロックスロール２に接触させて、印刷を再開する。
【００１６】
以上本発明はこの様な実施形態に何等限定されるものではなく、本発明の要旨を逸脱しない範囲において種々なる態様で実施し得る。
【図面の簡単な説明】
【００１７】
【図１】本発明の一実施形態としてのフレキソ印刷機のドクターブレード支持装置の概略構成図である。
【図２】図１のＡＡ断面図である。
【符号の説明】
【００１８】
１…版胴            ２…アニロックスロール
４…支持部材        ６，８…ドクターブレード
１０…インキ貯留部  １１…インキ供給ノズル
１２，１４…揺動アーム
１６…モータ        １８…支持軸
２４…装置フレーム  ２６…シリンダ
２８…退避機構
【図１】
2006044193.tif 000003
【図２】
2006044193.tif 000004